(57)【要約】【課題】デジタルスチルカメラなどで撮影した画像データをプリントする際のユーザ操作を従来よりも簡素化することができるプリント用端末を提供する。【解決手段】本発明に係るプリント用端末は、記録媒体に記録された画像データを読み取るメモリーリーダ８と、このメモリーリーダ８で読み取った画像データを取り込む画像取込部１０と、この画像取込部１０で取り込んだ画像データを処理する画像処理部１１とを備える。画像処理部１１は、画像データをプリントするときに適用されるプリント画像の向きを回転させる第１の回転処理機能と、画像データをプリントするときに適用されるプリント媒体の向きを回転させる第２の回転処理機能と、それらプリント画像の向きとプリント媒体の向きを同時に回転させる第３の回転処理機能とを有する。【選択図】図２
2008187720.tif 000002
【特許請求の範囲】
【請求項１】
長方形画像を表す画像データを取り込む画像取込手段と、
前記画像取込手段で取り込んだ画像データをプリントするときに適用される長方形のプリント画像と長方形のプリント媒体をディスプレイ画面上に互いに異なる階層で重ねて表示する表示制御手段と、
前記プリント画像の向きと前記プリント媒体の向きを前記ディスプレイ画面上で仮想的に回転させる処理を同時に行なう回転処理手段と
を有することを特徴とするプリント用端末。
【請求項２】
前記回転処理手段は、前記ディスプレイ画面上で前記プリント画像の向きと前記プリント媒体の向きを９０°の角度ピッチで回転させる
ことを特徴とする請求項１記載のプリント用端末。
【請求項３】
画像データを記録した記録媒体から当該画像データを読み取る読み取り手段を備え、
前記画像取込手段は、前記読み取り手段で読み取った画像データを取り込む
ことを特徴とする請求項１記載のプリント用端末。
【請求項４】
前記回転処理手段は、前記プリント画像の向きを前記ディスプレイ画面上で仮想的に回転させる第１の回転処理手段と、前記プリント媒体の向きを前記ディスプレイ画面上で仮想的に回転させる第２の回転処理手段と、前記プリント画像の向きと前記プリント媒体の向きを前記ディスプレイ画面上で仮想的に同時に回転させる第３の回転処理手段とを有する
ことを特徴とする請求項１記載のプリント用端末。
【請求項５】
前記第１の回転処理手段は、前記ディスプレイ画面上で前記プリント画像の向きを１°〜９０°の範囲で、任意の角度ピッチで回転させる
ことを特徴とする請求項４記載のプリント用端末。
【請求項６】
長方形画像を表す画像データを取り込む画像取込手段と、この画像取込手段で取り込んだ画像データをプリントするときに適用される長方形のプリント画像と長方形のプリント媒体をディスプレイ画面上に互いに異なる階層で重ねて表示する表示制御手段と、前記プリント画像の向きと前記プリント媒体の向きを前記ディスプレイ画面上で仮想的に回転させる処理を同時に行なう回転処理手段と有するプリント用端末と、
前記プリント用端末で処理された画像データを長方形のプリント媒体にプリントするプリンタと
を用いて構成されたことを特徴とするプリントシステム。
【請求項７】
長方形画像を表す画像データを取り込む画像取り込み機能と、
前記画像取り込み機能で取り込んだ画像データをプリントするときに適用される長方形のプリント画像と長方形のプリント媒体をディスプレイ画面上に互いに異なる階層で重ねて表示する表示制御機能と、
前記プリント画像の向きと前記プリント媒体の向きを前記ディスプレイ画面上で仮想的に回転させる処理を同時に行なう回転処理機能と
を実現させるためのプログラムを記憶したコンピュータ読み取り可能な記憶媒体。
【請求項８】
長方形画像を表す画像データを取り込む画像取り込み機能と、
前記画像取り込み機能で取り込んだ画像データをプリントするときに適用される長方形のプリント画像と長方形のプリント媒体をディスプレイ画面上に互いに異なる階層で重ねて表示する表示制御機能と、
前記プリント画像の向きと前記プリント媒体の向きを前記ディスプレイ画面上で仮想的に回転させる処理を同時に行なう回転処理機能と
をコンピュータに実現させるためのプログラム。
【発明の詳細な説明】
【技術分野】
【０００１】
本発明は、画像データをプリントするときに用いられるプリント用端末、プリントシステム、記憶媒体及びプログラムに関する。
【背景技術】
【０００２】
一般に、デジタルスチルカメラなどで撮影した画像やスキャナーで読み取った画像は長方形であるため、これをシート状のプリント媒体（プリント用紙など）にプリントする場合は、実際にプリントしようとする画像（以下、プリント画像）の向きとプリント媒体の向きを合わせることが多い。そのため従来では、プリント画像の向きを回転させたり、プリント媒体の向きを回転させるなどの処理機能を備えたものがある。
【０００３】
具体例として、下記特許文献１には、画像回転ボタン、用紙移動／回転ボタンを有するプリント装置が記載されている。また、下記特許文献２には、画像回転ボタンを備えた装置が記載され、下記特許文献３には、画像回転ステップを備えた装置が記載されている。
【０００４】
【特許文献１】特開２００３−３７７９８号公報
【特許文献２】特開２０００−７８３９４号公報
【特許文献３】特開平１１−３４１２７２号公報
【０００５】
デジタルスチルカメラなどで撮影した画像は、撮影時のカメラの向きによって縦向きに撮影されたものと横向きに撮影されたものが存在する。例えば、立ち姿勢の人物を頭部から足先まで収まるように撮影する場合に、カメラを横向きにして撮影（シャッターを押下）すると、図６（Ａ）に示すように、横長の長方形画像の中で人物の頭部が上向き、足部が下向きの画像（以下、第１の画像）となり、カメラを縦向きにして撮影すると、図６（Ｂ）に示すように、横長の長方形画像の中で人物の頭部が左向き、足部が右向きの画像（第２の画像）となるか、これと逆に人物の頭部が右向き、足部が左向きの画像となる。
【０００６】
いま、横方向の画像サイズが縦方向の画像サイズよりも大きい長方形の画像（横長の画像）を横向きの画像と定義し、縦方向のサイズが横方向のサイズよりも大きい長方形の画像（縦長の画像）を縦向きの画像と定義する。そうした場合、上記図６（Ａ），（Ｂ）に示す第１の画像及び第２の画像は、画像の回転処理（回転角度；９０°）によって横向きの画像から縦向きの画像に変換することが可能である。一方、プリンタドライバなどで行われるプリンタの設定では、プリント媒体となるシートの向きを縦向き、横向きのいずれかで設定し、かつ縦向きから横向きへの変換、又は横向きから縦向きへの変換が可能となっている。
【０００７】
したがって、プリント画像の向きが横向きで、プリント媒体の向きが縦向きの場合は、プリント媒体の向きを基準にプリント画像の向きを縦向きに変換するか、プリント画像の向きを基準にプリント媒体の向きを横向きに変換することにより、双方の向きを合わせることができる。
【発明の開示】
【発明が解決しようとする課題】
【０００８】
これに対して、デジタルスチルカメラを縦向きして撮影した画像を、プリント媒体の向きを横向きから縦向きに変換してプリントしたい場合は、プリント媒体の向きを変換するのに合わせて、プリント画像の向きも横向きから縦向きに変換する必要がある。このような場合、従来の技術では、プリント媒体の向きを横向きから縦向きに変換するための回転処理と、プリント画像の向きを横向きから縦向きに変換するための回転処理を個別に行う必要があり、ユーザの操作が煩雑なものとなっていた。
【０００９】
本発明は、上記課題を解決するためになされたもので、その目的とするところは、デジタルスチルカメラなどで撮影した画像データをプリントする際のユーザ操作を従来よりも簡素化することにある。
【課題を解決するための手段】
【００１０】
本発明に係るプリント用端末は、長方形画像を表す画像データを取り込む画像取込手段と、前記画像取込手段で取り込んだ画像データをプリントするときに適用される長方形のプリント画像と長方形のプリント媒体をディスプレイ画面上に互いに異なる階層で重ねて表示する表示制御手段と、前記プリント画像の向きと前記プリント媒体の向きを前記ディスプレイ画面上で仮想的に回転させる処理を同時に行なう回転処理手段とを有することを特徴とする。
【００１１】
このプリント用端末においては、画像取込手段で取り込んだ画像データをプリントするときに適用されるプリント画像の向きをディスプレイ画面上で回転させる処理及び当該画像データをプリントするときに適用されるプリント媒体の向きをディスプレイ画面上で仮想的に回転させる処理が、回転処理手段によって同時に行なわれる。
【発明の効果】
【００１２】
本発明によれば、デジタルスチルカメラなどで撮影した画像データをプリントする際のユーザ操作を従来よりも簡素化することができる。
【発明を実施するための最良の形態】
【００１３】
以下、本発明の実施の形態について図面を参照しつつ詳細に説明する。
【００１４】
図１は本発明の実施形態に係るプリントシステムの構成を示す概略図である。このプリントシステムは、大きくは、プリント用端末１とプリンタ２によって構成されている。プリント用端末１とプリンタ２は、例えば、プリンタケーブルや無線ＬＡＮ（Ｌｏｃａｌ Ａｒｅａ Ｎｅｔｗｏｒｋ）などの通信手段を介して通信可能に接続されている。プリンタ２としては、例えばカラーレーザプリンタなどが用いられる。
【００１５】
プリント用端末２は、ＣＰＵ（Ｃｅｎｔｒａｌ Ｐｒｏｃｅｓｓｉｎｇ Ｕｎｉｔ）３、ＲＯＭ（Ｒｅａｄ−Ｏｎｌｙ Ｍｅｍｏｒｙ）４、ＲＡＭ（Ｒａｎｄｏｍ Ａｃｃｅｓｓ Ｍｅｍｏｒｙ）５、タッチパネル付きのディスプレイ６、ハードディスクドライブ（ＨＤＤ）７、メモリーリーダ８を一体に備えて構成されている。このうち、ディスプレイ６とメモリーリーダ８は、プリント用端末２と別体で外付けの構成となっていてもよい。ただし、プリントシステム全体をコンパクトにまとめるうえでは、プリント用端末１と一体にディスプレイ６とメモリーリーダ８を備えた構成とした方が望ましい。
【００１６】
ＣＰＵ３は、ハードディスクドライブ７に格納（インストール）された動作プログラムにしたがってプリント用端末１内の処理動作を統括的に制御するものである。ＲＯＭ４には、ＣＰＵ３が動作プログラムを実行する際に、プリンタ２、ディスプレイ６、ハードディスクドライブ７、メモリーリーダ８などの周辺機器を制御するためのＢＩＯＳ（Ｂａｓｉｃ Ｉｎｐｕｔ／Ｏｕｔｐｕｔ Ｓｙｓｔｅｍ）が書き込まれている。ＲＡＭ５は、ＣＰＵ３が動作プログラムを実行する際のワークエリアとして利用される。
【００１７】
ディスプレイ６は、ユーザに対して様々な情報をディスプレイ画面に表示したり、ユーザからの操作指示をタッチパネルで受け付けたりするものである。ユーザからの操作指示は、キーボード、マウス、スティック、ボタン等の入力操作機器を用いて行うものであってもよい。ハードディスクドライブ７は、大容量の記憶装置であって、上記動作プログラムや他のアプリケーションプログラム（例えば、文書作成プログラム、画像編集プログラム等）、各種のデータ（例えば、画像データ、文書データ等）などを記憶する際に利用される。メモリーリーダ８は、例えば、メモリカード、フロッピー（登録商標）ディスク、ＣＤ−ＲＯＭなどの記録媒体９に記録された画像データを読み取るものである。このメモリーリーダ８を備えた構成とすることにより、プリント用端末９を操作するユーザは、携帯型（小型）の記録媒体９をメモリーリーダ８にセットするだけでプリントサービスを受けることができる。
【００１８】
また、ユーザがパーソナルコンピュータやデジタルスチルカメラなどで使用する記録媒体には、上述したような複数種の記録媒体が存在するため、これら複数種の記録媒体に記録された画像データをメモリーリーダ８で読み取り可能な構成とすることが望ましい。この場合、メモリーリーダ８には、読み取り可能な記録媒体の種類に応じて複数の媒体挿入スロットと、当該媒体挿入スロットに挿入された記録媒体から画像データを読み取るリーダー部とが設けられることになる。
【００１９】
図２はＣＰＵ３が上記動作プログラムを実行することによって実現される機能部を含むプリント用端末１の構成を示すブロック図である。図２において、画像取込部１０は、メモリーリーダ８で読み取られた画像データを取り込むものである。この画像取込部１０は、メモリーリーダ８で読み取られた画像データ以外にも、例えば、通信インターフェースを介して外部装置から送信された画像データを取り込むものであってもよい。
【００２０】
画像処理部１１は、画像取込部１０で取り込んだ画像データに所定の画像処理を行うものである。画像処理部１１が行う処理の中には、画像取込部１０で取り込んだ画像データをプリント用データ（例えば、ページ記述言語で表されたデータ；ＰＤＬデータ）に変換する変換処理と、画像取込部１０で取り込んだ画像データをプリントするときに適用されるプリント画像の向きを回転させる第１の回転処理と、画像取込部１０で取り込んだ画像データをプリントするときに適用されるプリント媒体の向きを回転させる第２の回転処理と、上記プリント画像の向きとプリント媒体の向きを同時に回転させる第３の回転処理とが含まれる。
【００２１】
表示制御部１２は、ディスプレイ６の表示を制御するものである。この表示制御部１２では、画像取込部１０で取り込んだ画像データを可視画像としてディスプレイ６に表示させたり、予め用意（動作プログラムに組み込み済）された各種の処理メニューや操作用ボタンをディスプレイ６に表示させたり、画像処理部１１で処理した画像データをディスプレイ６に表示させるなどの処理を行う。操作用ボタンは、ディスプレイ６のタッチパネル機能を使ってユーザが操作指示を入力する際に用いられるものである。指示受付部１３は、操作用ボタンを使ってユーザが入力した操作指示を受け付けるとともに、その受け付けた操作指示を画像取込部１０、画像処理部１１又は表示制御部１２に通知するものである。
【００２２】
図３はＣＰＵ３が動作プログラムを実行することで実現されプリント用端末１の処理動作の一例を示すフローチャートである。先ず、表示制御部１２からの表示命令にしたがって初期画面がディスプレイ６に表示される（ステップＳ１）。初期画面には、操作案内のためのメッセージや各種の処理メニューの一覧などが含まれる。
【００２３】
次に、ディスプレイ６に表示された初期画面の中でユーザが希望の処理メニューを選択すると、この選択した処理メニューの内容を指示受付部１３で確認する（ステップＳ２）。そして、確認した処理メニューが「画像取り込み」であれば、ユーザから画像の取り込み指示が入力された旨を画像取込部１０に通知し、この画像取込部１０で画像データの取り込みを実行させる（ステップＳ３）。このとき、画像取込部１０では、メモリーリーダ８で読み取られた画像データを取り込む。また、メモリーリーダ８にセットされた記録媒体９に複数の画像データが記録されていた場合は、それらの画像データをメモリーリーダ８で順に読み取って画像取込部１０に取り込む。ちなみに、指示受付部１３で確認した処理メニューが「画像取り込み」以外のメニューであれば、その処理メニューにしたがって以降の処理を継続する（詳細は省略）。
【００２４】
続いて、上述のように画像取込部１０で取り込んだ画像データを表示制御部１２に送り、この表示制御部１２で画像データをディスプレイ６に表示させる（ステップＳ４）。画像取込部１０で取り込んだ画像データが複数存在する場合は、それらの画像データをディスプレイ６に一覧表示する。
【００２５】
その後、ディスプレイ６に表示された画像の中からユーザがプリント画像を選択したかどうかを指示受付部１３で確認し（ステップＳ５）、実際にディスプレイ６画面内の選択ボタンをユーザが押下することでプリント画像が選択されると、これに続いてプリントのプレビュー画面が表示制御部１２からの表示指令にしたがってディスプレイ６に表示される（ステップＳ６）。このプレビュー画面では、プリント媒体とプリント画像が互いに異なる階層で表示される。例えば、プリント媒体となるシートの外形位置を表す長方形の枠線の上層に、プリント画像としてユーザに選択された長方形の画像が重ねて表示される。
【００２６】
続いて、ディスプレイ６の画面内にプレビュー画面とともに表示されている操作用ボタンの中で、ユーザがどのボタンを押下したかを指示受付部１３で確認する（ステップＳ７，Ｓ８）。ここで表示される操作用ボタンとしては、例えば図４（Ａ）に示すように、プリント画像のプリント実行を指示する「プリントＯＫ」ボタン１４と、プリント画像の向きとプリント媒体の向きを同時に回転させる第３の回転処理の実行を指示する「同時回転」ボタン１５と、プリント画像の向き又はプリント媒体の向きを個別に回転させるための詳細設定画面への切り換えを指示する「詳細設定」ボタン１６がある。これらの操作用ボタン（１４，１５，１６）は、プリント画像（図例では文字Ａを含む画像）１７とプリント媒体１８を積層表示するプレビュー画面と一緒に表示される。
【００２７】
上記プレビュー画面では、プリント媒体１８のプリント領域からプリント画像１７が欠けることのないよう、当該画像の全エリアを表示してもよい。また、プリント媒体１８のプリント領域を全て利用できるように、プリント媒体１８のサイズとほぼ同一サイズにプリント画像１７を拡大又は縮小して表示してもよい。
【００２８】
ここで、ユーザが「プリントＯＫ」ボタン１４を押下した場合は、それに基づく処理命令が指示受付部１３から画像処理部１１に与えられる。これにより、画像処理部１１では、現時点でディスプレイ６に表示されているプリント画像１７の向きで、プリント対象となる画像データをプリント用データに変換した後、当該データをプリンタ２に出力する（ステップＳ９）。こうして画像処理部１１から出力された画像データ（プリント用データ）は、上記通信手段を介してプリント用端末１からプリンタ２に転送され、そこでシートにプリントされる。
【００２９】
また、ユーザが「同時回転」ボタン１５を押下した場合は、それに基づく処理命令が指示受付部１３から画像処理部１１に与えられる。これにより、画像処理部１１では、現時点でディスプレイ６に表示されているプリント画像の向きとプリント媒体の向きを同時に回転させる第３の回転処理を行う（ステップＳ１０）。
【００３０】
第３の回転処理に際して、画像処理部１１では、プリント画像１７の向きとプリント媒体１８の向きをそれぞれ同じ回転方向に９０°の角度ピッチで同時に回転させる。これにより、プリント画像１７の向きが横向きから縦向きに又は縦向きから横向きに変換されると同時に、プリント媒体１８の向きが横向きから縦向き又は縦向きから横向きに変換される。また、回転処理前の状態として、上記図４（Ａ）に示すようにプリント画像１７の向きとプリント媒体１８の向きが共に横向きとなっていた場合は、それらを同時に回転させることにより、図５に示すようにプリント画像１７の向きとプリント媒体１８の向きが共に縦向きになる。つまり、１ステップで横向きから縦向きへの一括変換が可能となる。
【００３１】
その後、画像処理部１１で回転処理した結果は、表示制御部１２からの表示指令にしたがってディスプレイ６に再度プレビュー表示される（ステップＳ６）。そして、このプレビュー画面内でユーザが「プリントＯＫ」ボタン１４を押下すると、画像処理部１１で処理した画像データ（プリント用データ）がプリンタ２に出力される（ステップＳ９）。
【００３２】
一方、ユーザが「詳細設定」ボタン１６を押下した場合は、指示受付部１３からの指示にしたがって詳細設定用のプレビュー画面を表示制御部１２がディスプレイ６に表示させる（ステップＳ１１）。この詳細設定用のプレビュー画面では、図４（Ｂ）に示すように、プリント画像（図例では文字Ａを含む画像）１７とプリント媒体１８とともに、プリント画像の向きを個別（独立）に回転させる第１の回転処理の実行を指示する「画像向き回転」ボタン１９と、プリント媒体（シート）の向きを個別（独立）に回転させる第２の回転処理の実行を指示する「媒体向き回転」ボタン２０と、上記図４（Ａ）に示す元のプレビュー画面への表示切り換えを指示する「戻る」ボタン２１が表示される。
【００３３】
ここで、ユーザが「画像向き回転」ボタン１９を押下した場合（ステップＳ１２でＹｅｓの場合）は、それに基づく処理命令が指示受付部１３から画像処理部１１に与えられる。これにより、画像処理部１１では、プリント媒体１８の向きを基準（固定）にして、プリント画像１７の向きを回転させる第１の回転処理を行う（ステップＳ１３）。このとき、画像処理部１１では、プリント画像１７の向きを９０°以下の角度ピッチで回転させる。これにより、画像処理部１１でプリント画像１７の向きを９０°の角度ピッチで回転させると、プリント画像１７の向きが横向きから縦向き又は縦向きから横向きに変換される。
【００３４】
また、画像処理部１１でプリント画像１７の向きを１°〜９０°の範囲で、任意の角度ピッチで回転させると、その回転角度ピッチに応じてプリント画像１７が傾く。したがって、例えば、デジタルスチルカメラで撮影したときや、スキャナーで原稿の画像を読み取ったときに、得られた画像に傾きが生じていた場合は、その傾きに応じてプリント画像１７の向きを画像処理部１１で適宜回転させることにより、元々の画像がもっている傾きを適切に補正することができる。ちなみに、この場合は、プレビュー画面上でプリント媒体１８に対してプリント画像１７が斜めに傾いた状態となるが、この点に関しては、例えば、プリント画像１７を適宜トリミングすることにより適切に対処することが可能である。
【００３５】
一方、ユーザが「媒体向き回転」ボタン２０を押下した場合（ステップＳ１２でＮｏの場合）は、それに基づく処理命令が指示受付部１３から画像処理部１１に与えられる。これにより、画像処理部１１では、プリント画像１７の向きを基準（固定）にして、プリント媒体１８の向きを回転させる第２の回転処理を行う（ステップＳ１４）。このとき、画像処理部１１では、プリント媒体１８の向きを９０°の角度ピッチで回転させる。これにより、プリント媒体１８の向きが横向きから縦向き又は縦向きから横向きに変換される。
【００３６】
ステップＳ１３でプリント画像１７の向きを回転させた後や、ステップＳ１４でプリント媒体１８の向きを回転させた後は、それぞれの回転処理結果が、表示制御部１２からの表示指令にしたがってディスプレイ６に再度プレビュー表示される（ステップＳ６）。そして、このプレビュー画面内でユーザが「プリントＯＫ」ボタン１４を押下すると、画像処理部１１で処理した画像データ（プリント用データ）がプリンタ２に出力される（ステップＳ９）。
【００３７】
このように画像処理部１１が行う画像処理機能として、プリント画像の向きやプリント媒体の向きをそれぞれ個別に回転させる処理機能の他に、プリント画像の向きとプリント媒体の向きを同時に回転させる処理機能を持たせることにより、デジタルスチルカメラなどで撮影した画像データをプリントする際のユーザ操作を簡素化することができる。
【００３８】
具体的には、例えば、デジタルスチルカメラを縦向きにして撮影した画像データを、プリント媒体の向きを横向きから縦向きに変換してプリントする場合に、プリント画像の向きとプリント媒体の向きを個別に回転させなくても、それらを画像処理部１１で一括して回転処理することができる。したがって、プリント画像の向きとプリント媒体の向きを回転させる際のユーザ操作を簡素化することができる。その結果、プリントサービスを利用するユーザにとって、非常に使い勝手の良いプリント用端末１を実現することが可能となる。
【００３９】
また本発明は、上記ＣＰＵ３が実行する動作プログラム、すなわち、画像データを取り込む画像取り込み機能と、この画像取り込み機能で取り込んだ画像データをプリントするときに適用されるプリント画像の向きを回転させる第１の回転処理機能と、画像取り込み機能で取り込んだ画像データをプリントするときに適用されるプリント媒体の向きを回転させる第２の回転処理機能と、それらプリント画像の向きとプリント媒体の向きを同時に回転させる第３の回転処理機能とを実現させるためのプログラムを記憶したコンピュータ読み取り可能な記憶媒体（例えば、フロッピー（登録商標）ディスク、ＣＤ−ＲＯＭなど）として提供することが可能である。
【００４０】
また本発明は、画像データを取り込む画像取り込み機能と、この画像取り込み機能で取り込んだ画像データをプリントするときに適用されるプリント画像の向きを回転させる第１の回転処理機能と、画像取り込み機能で取り込んだ画像データをプリントするときに適用されるプリント媒体の向きを回転させる第２の回転処理機能と、それらプリント画像の向きとプリント媒体の向きを同時に回転させる第３の回転処理機能とをコンピュータに実現させるためのプログラムとして提供することも可能である。
【図面の簡単な説明】
【００４１】
【図１】本発明の実施形態に係るプリントシステムの構成を示す概略図である。
【図２】プリント用端末の構成を示すブロック図である。
【図３】プリント用端末の処理動作の一例を示すフローチャートである。
【図４】回転処理前のプレビュー表示の一例を示す図である。
【図５】回転処理後のプレビュー表示の一例を示す図である。
【図６】カメラ撮影によって得られる画像の一例を示す図である。
【符号の説明】
【００４２】
１…プリント用端末、２…プリンタ、３…ＣＰＵ、４…ＲＯＭ、５…ＲＡＭ、６…ディスプレイ、７…ハードディスクドライブ、８…メモリーリーダ、９…記録媒体、１０…画像取込部、１１…画像処理部、１２…表示制御部、１３…指示受付部
【図１】
2008187720.tif 000003
【図２】
2008187720.tif 000004
【図３】
2008187720.tif 000005
【図４】
2008187720.tif 000006
【図５】
2008187720.tif 000007
【図６】
2008187720.tif 000008